(57)【要約】      （修正有）【課題】送信電力量報告に端末の最大送信電力の変化原因を含むことができる方法及び装置を提供する。【解決手段】移動通信システムにおける端末のＰＨＲ(Ｐｏｗｅｒ Ｈｅａｄｒｏｏｍ Ｒｅｐｏｒｔ)送信方法であって、基地局からＰＨＲ設定情報を受信する段階、ＰＨＲ設定情報に基づいて、端末に設定されたＰＨＲフォーマットが、一般ＰＨＲであるか拡張ＰＨＲであるかを判断する段階、端末に設定されたＰＨＲフォーマットに基づいて、Ｐ−ＭＰＲを適用するか否かを指示するインディケータを含んでＰＨＲを生成するか否かを判断する段階及び端末に設定されたＰＨＲフォーマットが一般ＰＨＲフォーマットであれば、インディケータを含まない一般ＰＨＲを生成し、生成された一般ＰＨＲを伝送する段階を少なくとも含む。【選択図】図２
2019054543.tif 000002
【特許請求の範囲】
【請求項１】
移動通信システムにおいて端末のＰＨＲ(Ｐｏｗｅｒ Ｈｅａｄｒｏｏｍ Ｒｅｐｏｒｔ)送信方法であって、
基地局からＰＨＲ禁止タイマを含むＰＨＲ設定情報を受信する段階；
前記ＰＨＲ設定情報に基づいて、端末に設定されたＰＨＲフォーマットが、拡張ＰＨＲフォーマットであるかを判断する段階；
前記端末に設定されたＰＨＲフォーマットが前記拡張ＰＨＲフォーマットであり、前記ＰＨＲ禁止タイマが満了した場合、最大送信電力及び前記最大送信電力の下限値を決定するとき、Ｐ−ＭＰＲが適用されたか否かを指示するインディケータを含む拡張ＰＨＲを生成し、前記生成された拡張ＰＨＲを前記基地局に送信する段階；
前記端末に設定されたＰＨＲフォーマットが前記拡張ＰＨＲフォーマットでなく、前記ＰＨＲ禁止タイマが満了した場合、前記インディケータを含まない一般ＰＨＲを生成し、前記生成された一般ＰＨＲを伝送する段階を含み、
前記拡張ＰＨＲは、前記Ｐ−ＭＰＲによるｂａｃｋｏｆｆが臨界値より多く変化する場合にトリガされる
ことを特徴とする送信方法。
【発明の詳細な説明】
【技術分野】
【０００１】
本発明は、端末送信電力量を效率的に報告する方法及び装置に関する。より具体的に、本発明は端末の最大送信電力の変化原因を含んで端末送信電力量を報告する方法及び装置に関する。
【背景技術】
【０００２】
一般的に、移動通信システムは、使用者の移動性を確保しながら通信を提供するための目的に開発された。このような移動通信システムは、技術の飛躍的な発展に支えられて音声通信はもちろん高速のデータ通信サービスを提供することができる段階に至った。
【０００３】
近年、次世代移動通信システム中の１つで３ＧＰＰでＬＴＥ(Ｌｏｎｇ  Ｔｅｒｍ  Ｅｖｏｌｕｔｉｏｎ)に対する規格作業が進行中である。ＬＴＥは２０１０年程度を商用化目標とし、現在提供されているデータ送信率より高い最大１００Ｍｂｐｓ程度の送信速度を有する高速パケット基盤通信を具現する技術である。このために様々な方案が論議されているが、例えば、ネットワークの構造を簡単にして通信路上に位置するノードの数を減らす方案や、無線プロトコルを最大限無線チャンネルに近接させる方案等が論議中である。
【０００４】
一方、データサービスは、音声サービスとは異なり送信しようとするデータの量とチャンネル状況によって割り当てることができる資源等が決定される。したがって、移動通信システムのような無線通信システムでは、スケジューラで送信しようとする資源の量とチャンネルの状況及びデータの量等を考慮して送信資源を割り当てる等の管理が成る。これは次世代移動通信システム中の１つであるＬＴＥでも同様になり、基地局に位置したスケジューラが無線送信資源を管理して割り当てる。
【０００５】
最近ＬＴＥ通信システムに、様々な新技術を組み合わせて送信速度を向上させる進化されたＬＴＥ通信システム(ＬＴＥ−Ａｄｖａｎｃｅｄ、ＬＴＥ−Ａ)に対する論議が本格化されている。上記新しく導入する技術の中で代表的なものでキャリアアグリゲーション(Ｃａｒｒｉｅｒ  Ａｇｇｒｅｇａｔｉｏｎ)を挙げることができる。キャリアアグリゲーションとは、従来の端末が１つの順方向キャリアと１つの逆方向キャリアのみを利用してデータ送受信をすることとは異なり、１つの端末が多数の順方向キャリアと多数の逆方向キャリアを用いることである。したがって、基地局は従来と異なり多数の逆方向キャリアごとに端末送信電力を效率的に設定する必要があり、このために、端末が端末最大送信電力及び使用可能電力を報告することは非常に重要になった。
【０００６】
ＬＴＥ通信システムの発展は、一端末内に多数のシステムモデムを有するデュアルモード機能が可能にするように作られた。また、別個のサービスをそれぞれ相違するシステムを利用して同時に提供受けることもできるようになった。この時、各システムごとに用いる端末最大送信電力及び使用可能電力を基地局に報告することはスケジューリングのために重要である。
【先行技術文献】
【非特許文献】
【０００７】
【非特許文献１】Ericsson, ST-Ericsson, Qualcomm Incorporated, Nokia Siemens     Networks，"Adding a Power Management indication in PHR"[online]，3GPP TSG-RA    N   WG2#73 R2-１１0940，２０１１年  ２月１４日
【発明の概要】
【発明が解決しようとする課題】
【０００８】
本発明は、上記のような問題点を解決するためのものである。特に、本発明は送信電力量報告に端末の最大送信電力の変化原因を含むことができる方法及び装置を提供することを目的とする。
【０００９】
ひいては、本発明は１ビットインディケータを利用して端末の最大送信電力の変化原因がＰ−ＭＰＲであるか否かを報告することができる方法及び装置を提供することを目的とする。
【課題を解決するための手段】
【００１０】
上記のような問題点を解決するための端末のＰＨＲ送信方法は、端末の最大送信電力の変化原因に対するインディケータを含む拡張ＰＨＲを構成する段階；及び拡張ＰＨＲを基地局に発信する段階を含むことを特徴とする。そして基地局のＰＨＲ受信方法は、端末の最大送信電力の変化原因に対するインディケータを含む拡張ＰＨＲ適用を指示する制御情報を端末に発信する段階；及び端末から拡張ＰＨＲを受信する段階を含むことを特徴とする。
【００１１】
ひいては、本発明のＰＨＲ送信装置は、端末の最大送信電力の変化原因に対するインディケータを含む拡張ＰＨＲを構成する制御部；及び拡張ＰＨＲを基地局に発信する送受信機を含むことを特徴とする。そして本発明のＰＨＲ受信装置は、端末の最大送信電力の変化原因に対するインディケータを含む拡張ＰＨＲ適用を指示する制御情報を生成する制御部；及び端末に制御情報を送信して、端末から拡張ＰＨＲを受信する送受信部を含むことを特徴とする。
【００１２】
本発明によると、基地局が端末の最大送信電力及びその変化原因が分ることができ、效率的なスケジューリングが可能である。
【図面の簡単な説明】
【００１３】
【図１Ａ】基地局が好ましくないスケジューリングを行う場合を説明するための図面である。
【図１Ｂ】基地局が好ましくないスケジューリングを行う場合を説明するための図面である。
【図２】本発明の実施例によってＰＨＲを送信して受信する過程を示した図面である。
【図３Ａ】本発明の実施例によってＰＨＲを端末が送信する過程を示した図面である。
【図３Ｂ】本発明の実施例によってＰＨＲを基地局が受信する過程を示した図面である。
【図４】本発明の実施例による拡張ＰＨＲの構成を示した図面である。
【図５】本発明の実施例による端末のＰＨＲ送信装置２００の構造を示したブロック図である。
【発明を実施するための形態】
【００１４】
本発明は、以下に記載する実施例の説明内容に限定されるものではなく、本発明の技術的要旨を外れない範囲内で多様な変形が加えられることは自明である。そして実施例を説明することにおいて本発明が属する技術分野に広く知られており、本発明の技術的要旨と直接的に関連がない記述内容に対しては説明を省略する。
【００１５】
一方、添付の図面で同一構成要素は同一符号で表現される。そして添付図面において一部構成要素は誇張されたり省略されたり概略的に図示されることもできる。これは本発明の要旨と関連がない不必要な説明を省略することによって本発明の要旨を明確に説明するためである。以下、添付の図面を参照して本発明の好ましい実施例を詳しく説明する。
【００１６】
ＬＴＥシステムでは、端末が使用可能な送信電力量をＰＨ(Ｐｏｗｅｒ Ｈｅａｄｒｏｏｍ)と言い、端末最大送信電力ＰCMAXと現在使用中の端末送信電力の差に定義される。端末は特定条件が満足されると、ＰＨを基地局に報告して、これをＰＨＲ(Ｐｏｗｅｒ Ｈｅａｄｒｏｏｍ Ｒｅｐｏｒｔ)と言う。従来技術で端末がＰＨＲを報告する特定条件は無線経路損失(ｐａｔｈｌｏｓｓ)が特定臨界値より大きく変化したり、ＰＨ報告周期が到来した時である。基地局は収集したＰＨ値を基づいて当該の端末が経験しているチャンネル状態を予測することができ、当該の端末に追加的に無線資源を割り当てするのかを決めることができる。
【００１７】
ＰＨは端末最大送信電力ＰCMAXの変化、電波経路損失の変化、ＴＰＣ ｃｏｍｍａｎｄ ｅｒｒｏｒなどの原因によって、継続変化して、これにより、基地局は無線資源を誤り割り当てることもできる。
【００１８】
図１Ａ及び１Ｂは、基地局が好ましくないスケジューリングを行う場合を説明する図面である。
【００１９】
図１Ａには時間ｔ１時点で端末電力使用割合を示す。端末最大送信電力ＰCMAX１１０は、基地局から提供されるパラメーターと予め定義されたパラメーターを利用して、最大値ＰCMAX_Ｈ１０５と最小値ＰCMAX_Ｌ１１５が決定されて、この範囲内から１つの値で決まる。
【００２０】
時間ｔ１時点で端末はｘ個のＲＢ(Ｒｅｓｏｕｒｃｅ Ｂｌｏｃｋ)の無線資源を割り当てられ、ＭＣＳ(Ｍｏｄｕｌａｔｉｏｎ ＆ Ｃｏｄｉｎｇ Ｓｃｈｅｍｅ)＝ｍでデータを送信している。この時、用いられる端末送信電力１２０は、端末最大送信電力１１０に比べて顕著に低い。端末は特定条件が満足すると、最大送信電力ＰCMAX１１０と使用中の送信電力１２０の差であるＰＨ１４５を基地局に伝達する。
【００２１】
基地局は、ＰＨ値を基づいて端末により多い無線資源を割り当てても端末送信電力が不足ではないことと判断する。ここに基地局は当該の端末にさらに高い送信率でサービスを提供するために、追加的にｙ ＲＢｓさらに割り当てて、ＭＣＳも以前ｍよりさらに高いｎへ増加させる。
【００２２】
図１Ｂは、時間ｔ２時点で端末電力使用割合を示す。図１Ｂで示されるように必要な送信電力１３５は大きく増加するが、反対に最大送信電力ＰCMAX１４０は減って、必要な送信電力に及ぶことができなくなる。これは最大送信電力ＰCMAX１４０がスケジューリングされＰＲＢ(Ｐｈｙｓｉｃａｌ Ｒｅｓｏｕｒｃｅ Ｂｌｏｃｋ)の量及び位置、システム帯域幅、周波数バンド、スケジューリングされたキャリアの数などの原因によって、変化されるからである。
【００２３】
したがって、このような問題を解決する方法は、端末が基地局に最大送信電力を報告して、基地局はこのような情報を収集して、多くの状況で変化する端末最大送信電力を予め念頭して計算することである。しかし、端末最大送信電力値のみを収集することとしては十分ではない。基地局が意味ある情報を有するためには端末最大送信電力がどんな原因によって変化されたのかを分かるべきである。
【００２４】
端末最大送信電力に原因を及ぼす要素を調べるためには端末最大送信電力を決める基準を把握しなければならない。前述したように、端末最大送信電力ＰCMAXは基地局から提供されるパラメーターと予め定義されたパラメーターを利用して、最大値ＰCMAX_Ｈと最小値ＰCMAX_Ｌが決定されて、この範囲内から１つの値と決まる。
すなわち、
ＰCMAX_Ｌ≦ＰCMAX≦ＰCMAX_Ｈ      式１
ここで、最大値ＰCMAX_Ｈと最小値ＰCMAX_Ｌは式２と式３を利用して下記のように定義される。
ＰCMAX_Ｌ＝ＭＩＮ{ＰCMAX−ΔＴC、ＰPowerClass−ＭＡＸ(ＭＰＲ＋Ａ−ＭＰＲ、Ｐ−ＭＰＲ) −ΔＴc}       式２
ＰCMAX_Ｈ＝ＭＩＮ{ＰEMAX、ＰPowerClass}      式３
【００２５】
ＰEMAXは、基地局が提供する最大送信電力値でｂｒｏａｄｃａｓｔ情報であるＳＩＢ１を通じて端末に伝達する。一方、ＰPowerClassは各端末で提供可能な最大送信電力である。 ＰCMAX_Ｈは２つ値の最小値で定義される。
【００２６】
一方、ＰCMAX_Ｌは多少複雑である。ＰCMAX_Ｌは大きくＭＰＲ＋Ａ−ＭＰＲとＰ−ＭＰＲ の影響を受ける。ΔＴC、ＭＰＲ、Ａ−ＭＰＲは隣接チャンネルに対する意図されない放射や干渉を所定の要求条件に合わせるために端末がサービングセルで最大送信電力を調整することができる限界値を定義するパラメーターである。
【００２７】
ＭＰＲは、端末が割り当てられた送信資源の量(すなわち帯域幅)と変造方式によって決まる値である。 Ａ−ＭＰＲは逆方向送信がなる周波数帯域、地域的特性、逆方向送信の帯域幅などによって決まる値である。Ａ−ＭＰＲは地域的特性と周波数帯域的特性によって、周辺にスプリアス放射に特別に敏感な周波数帯域がある場合に対比して用いられる。ΔＴCは逆方向送信が周波数帯域の縁部で行われる場合、追加的な送信電力調整を許容するためのものである。逆方向送信が任意の周波数帯域の最低４ＭＨｚに該当する帯域や最高４ＭＨｚに該当する帯域で行われれば、端末はΔＴCを１．５ｄＢで設定して、残り場合には０で設定する。
【００２８】
Ｐ−ＭＰＲはＳＡＲ(Ｓｐｅｃｉｆｉｃ Ａｂｓｏｒｐｔｉｏｎ Ｒａｔｅ:電子波が人体に及ぶ影響を所定の基準以下で制御すること)要求条件を満足させるために適用される送信出力縮小値であり、機器と人体の間の距離などを考慮して決まる値である。例えば、機器と人体の間の距離が近ければ機器の総送信出力値が低くなければならなく、このためにＰ−ＭＰＲは高い値が適用される。
【００２９】
反対に機器と人体の間の距離が遠ければ機器の総送信出力値が高くなっても構わないので Ｐ−ＭＰＲで低い値が適用される。Ｐ−ＭＰＲは電力管理と関連があり、多数のキャリアと共に運用したり、他のシステムモデムと共にデータを送信する場合、１つのキャリアまたは１つのシステムに割り当てられる最大電力量を制限する。このような影響をＰ−ＭＰＲで反映する。
【００３０】
したがって、端末最大送信電力ＰCMAXは大きくｏｕｔ-ｏｆ-ｂａｎｄ ｅｍｉｓｓｉｏｎ 要求事項に係ったＭＰＲ＋Ａ−ＭＰＲまたは電力管理に係ったＰ−ＭＰＲの２つの原因によって変化されることを分かる。端末が最大送信電力量と共に、２つの原因を区分してくれることができる１つのインディケータを基地局に報告すると、基地局は多くの状況に対して端末最大送信電力がどんなに変化するはずなのかを予め念頭して計算することができるでしょう。
【００３１】
本発明ではＰＨＲに端末最大送信電力量と最大送信電力量の変化原因を現わす１ビットインディケータを共に伝達する方法を提案する。
【００３２】
本発明では当該の1 ビットインディケータをＰビットと称する。当該のインディケータは１ビットから構成されて、「０」は最大送信電力が電力管理のためのＰ−ＭＰＲによって影響を受けない場合を現わして、「１」は影響を受ける場合を現わす。
【００３３】
すなわち、Ｐ−ＭＰＲが適用されてＰCMAX、Ｃが異なる値になるとＰビットを１と設定して、Ｐ−ＭＰＲ適用された場合と適用にならない場合にＰCMAX、Ｃ 値が同一であればＰビットを０と設定する。このために、従来のＰＨＲフォーマットと異なり、追加的な情報を含ませるように拡張されたＰＨＲフォーマットが利用されるはずであり、従来のＰＨＲトリガー条件と共に、追加的にＰ−ＭＰＲが特定臨界値より大きく変化する場合、ＰＨＲはトリガーされるでしょう。
【００３４】
図２は、本発明の実施例によってＰＨＲを送信して受信する過程を示した図面である。
【００３５】
段階２１０で端末２００は基地局２０５に端末が他のＲＡＴまたはＣａｒｒｉｅｒ Ａｇｇｒｅｇａｔｉｏｎ(ＣＡ)に対する支援が可能であると知らせる。段階２１５で基地局は多様な状況に対して、ＰCMAX変化に対する情報を収集することに決めて、拡張されたＰＨＲフォーマットを用いることに決める。
【００３６】
段階２２０で基地局はＲＲＣ Ｃｏｎｎｅｃｔｉｏｎ Ｒｅｃｏｎｆｉｇｕｒａｔｉｏｎ メッセージを通じて、拡張されたＰＨＲフォーマットの適用を端末に指示する。拡張されたＰＨＲフォーマットを適用するか否かはＭＡＣ−ＭａｉｎＣｏｎｆｉｇ  ＩＥを通じて指示されて、以外のＰＨＲ関連設定情報はＰＨＲ−ｃｏｎｆｉｇ  ＩＥに含まれる。端末は段階２２５で他のＲＡＴを通じてデータを送信したり、ＣＡ 技術を利用して、複数のサービングセル、すなわち追加的にＳＣｅｌｌを通じてデータ送信が必要であることを認知する。
【００３７】
段階２３０で、基地局はアップリンク無線資源を端末に割り当てる。段階２３５で端末は ＰCMAXを決める時、電力管理のために、Ｐ−ＭＰＲによってＰCMAXが影響を受けることを認知する。ＰCMAXは式２と式３によって導出される最大値ＰCMAX_Ｈと最小値ＰCMAX_Ｌの範囲内で端末が選択する。
【００３８】
段階２４０で、端末は以下の条件のうちの少なくとも１つが満足するとＰＨＲをトリガーする。
【００３９】
-条件１：ｐｒｏｈｉｂｉｔＰＨＲ−Ｔｉｍｅｒが満了された状態で、少なくとも１つのサービングセルで基地局に提供受けた１つの臨界値ｄｌ−ＰａｔｈｌｏｓｓＣｈａｎｇｅ よりダウンリンクでの無線経路損失(ｐａｔｈｌｏｓｓ)が大きく変化する時
【００４０】
-条件２：ｐｅｒｉｏｄｉｃＰＨＲ−Ｔｉｍｅｒが満了された場合
【００４１】
-条件３：上位階層からＰＨＲがｃｏｎｆｉｇｕｒａｔｉｏｎ/ｒｅｃｏｎｆｉｇｕｒａｔｉｏｎされる時
【００４２】
-条件４：アップリンクセルと共に１つのＳＣｅｌｌがａｃｔｉｖａｔｅになる時
【００４３】
-条件５：ｐｒｏｈｉｂｉｔＰＨＲ−Ｔｉｍｅｒが満了された状態で、Ｐ−ＭＰＲによるｐｏｗｅｒ ｂａｃｋｏｆｆが臨界値ｄｌ−ＰａｔｈｌｏｓｓＣｈａｎｇｅより大きく変化する。
【００４４】
端末は段階２４５で拡張されたＰＨＲを基地局に報告する。この拡張されたＰＨＲには ＰＨ情報と共に、ＰCMAXとＰ−ＭＰＲの影響であるか否かを知らせるための1ビットインディケータＰを含む。この1ビットは、最大送信電力が電力管理のためのＰ−ＭＰＲを影響を受けない場合には「０」と設定されて、影響を受ける場合には「１」と設定される。
【００４５】
参照にこの拡張されたＰＨＲはＣＡが適用される場合、すべてのａｃｔｉｖａｔｅｄ ＳＣｅｌｌのＰＨ、ＰＣＭＡＸ、Ｐ値を含む。ここでＰＨは以下の数式で計算される。
【数１】
2019054543.tif 000003
Ｓｅｒｖｉｎｇ ｃｅｌｌｃでｉ番目ｓｕｂｆｒａｍｅのＰＨ(ｉ)は最大逆方向送信電力ＰCMAX 、ｃ(ｉ)、資源ブロックの数ＭＰＵＳＣＨ、ｃ (ｉ)、ＭＣＳから誘導されるｐｏｗｅｒ ｏｆｆｓｅｔ ΔＴＦ、ｃ、経路損失ＰＬｃ、ｆｃ(ｉ)(ａｃｃｕｍｕｌａｔｅｄ ＴＰＣ ｃｏｍｍａｎｄｓ)によって計算される。
【００４６】
上記数式でＰＬｃはサービングセルｃに対して経路損失を提供するように設定されているセルの経路損失である。任意のサービングセルの逆方向送信出力決定に用いられる経路損失は当該のセルの順方向チャンネルの経路損失であるか、或いは他のセルの順方向チャンネルの経路損失である。この中、どんな経路損失を用いられるかはコール設定過程で基地局が選択して端末に知らせる。
【００４７】
上記数式でｆｃ(ｉ)はサービングセル cの送信出力調整命令(Ｔｒａｎｓｍｉｓｓｉｏｎ Ｐｏｗｅｒ Ｃｏｎｔｒｏｌ)の累積値である。ＰO_ＰＵＳＣＨ、Cは上位階層でパラメーターとして、ｃｅｌｌ−ｓｐｅｃｉｆｉｃ及びＵＥ−ｓｐｅｃｉｆｉｃ値の合からなる。一般的に、ＰO_ＰＵＳＣＨ、Cはｓｅｍｉ-ｐｅｒｓｉｓｔｅｎｔ ｓｃｈｅｄｕｌｉｎｇ、ｄｙｎａｍｉｃ ｓｃｈｅｄｕｌｉｎｇ、ｒａｎｄｏｍ ａｃｃｅｓｓ ｒｅｓｐｏｎｓｅなどのＰＵＳＣＨ(Ｐｈｙｓｉｃａｌ Ｕｐｌｉｎｋ Ｓｈａｒｅｄ Ｃｈａｎｎｅｌ)送信種類によって他の値が適用される。
【００４８】
αcは上位階層で提供される３-ｂｉｔ ｃｅｌｌ−ｓｐｅｃｉｆｉｃ値で逆方向送信出力計算時、経路損失に適用する加重値(すなわち、この値が高いほど経路損失が逆方向送信出力により多い影響を及ぶ)であり、ＰＵＳＣＨ送信種類によって適用する数の値が制限される。ｊ価格はＰＵＳＣＨの種類を現わすことに用いられる。Ｊ＝０である時には ｓｅｍｉ−ｐｅｒｓｉｓｔｅｎｔ ｓｃｈｅｄｕｌｉｎｇ、ｊ＝１である時にはｄｙｎａｍｉｃ ｓｃｈｅｄｕｌｉｎｇ、ｊ＝２である時にはｒａｎｄｏｍ ａｃｃｅｓｓ ｒｅｓｐｏｎｓｅをそれぞれ現わす。
【００４９】
以後、段階２５０で基地局は当該の情報をデータベース化して、スケジューリングすることに利用する。
【００５０】
図３Ａは、本発明の実施例によってＰＨＲを端末が送信する過程を示した図面である。
【００５１】
段階３００で端末は基地局から提供受けたＰＨＲ設定情報の中に拡張されたＰＨＲフォーマットを適用しなさいという指示があるかどうかを確認する。当該の指示がなければ段階３１０で従来のＰＨフォーマットを利用してＰＨＲを報告すれば良い。
【００５２】
段階３０５で端末は、アップリンク無線資源割り当てによってデータを送信して、段階 ３１５でＰＨＲトリガー条件が満足されるかどうかを継続確認する。
【００５３】
もし、前述した条件が１つでも満足されると、段階３２０で端末は報告するＰCMAX値が電力管理次元でＰ−ＭＰＲの影響を受けたのかを確認する。もし影響を受けたら、段階３２５で拡張されたＰＨＲを構成して、段階３３０でＰビット値を1と設定する。そうではない場合には、段階３３５で拡張されたＰＨＲを構成して、段階３４０でＰビット値を０と設定する。
【００５４】
以後、段階３４５で端末はＰＨＲを基地局に報告する。
【００５５】
図３Ａは、本発明の実施例によってＰＨＲを端末が送信する過程を示した図面である。
【００５６】
段階３５０で基地局は多様な状況に対して、ＰCMAX変化に対する情報を収集することに決める。すなわち、基地局は本発明の実施例による拡張されたＰＨＲフォーマットを用いることに決める。
【００５７】
段階３６０で基地局はＲＲＣ Ｃｏｎｎｅｃｔｉｏｎ Ｒｅｃｏｎｆｉｇｕｒａｔｉｏｎ メッセージを通じて、拡張されたＰＨＲフォーマットの適用を端末に指示する。拡張されたＰＨＲフォーマットの適用であるか否かは、ＭＡＣ−ＭａｉｎＣｏｎｆｉｇ  ＩＥを通じて指示されて、その他ＰＨＲ関連設定情報はＰＨＲ-ｃｏｎｆｉｇ  ＩＥに含まれる。以後、段階３７０で基地局はアップリンク無線資源を端末に割り当てる。
【００５８】
段階３８０で基地局は端末から拡張されたＰＨＲを受信する。前述したように、このような拡張されたＰＨＲにはＰＨ情報と共に、ＰCMAXとＰ−ＭＰＲの影響であるか否かを知らせるための1ビットインディケータＰを含む。この1ビットは最大送信電力が電力管理のためのＰ−ＭＰＲを影響を受けない場合には「０」と設定されて、影響を受ける場合には「１」と設定される。参照にこの拡張されたＰＨＲはＣＡが適用される場合、すべてのａｃｔｉｖａｔｅｄ ＳＣｅｌｌのＰＨ、ＰCMAX、Ｐ値を含む。
【００５９】
以後、段階３９０で基地局は当該の情報をデータベース化して、スケジューリングすることに利用する。
【００６０】
図４は、図３の段階３２５及び３３５のＰＨＲ構成に対してさらに詳しく説明するためのＰＨＲ構成図である。
【００６１】
いくつかのキャリアが集積された移動通信システムでいくつかのサービングセルに対するＰＨを報告すべきである場合、これらを１つのＰＨＲに集めて送信する。このような方法は各キャリア別でＰＨを送信することに比べてシグナルオーバーヘッドを減らすことができ、実際ＰＵＳＣＨ送信がないキャリアに対してもＰＨ情報を得ることもできる。
【００６２】
ブロック４００乃至４３０は、ＣＡのうちで、どんなａｃｔｉｖａｔｅｄ ＣＣ(Ｃｏｍｐｏｎｅｎｔ Ｃａｒｒｉｅｒ)のＰＨが当該のＰＨＲに含まれているかどうかを指示するためのビットマップである。ビットマップの各ビットはＳＣｅｌｌ ｉｎｄｅｘと一致して、１つのＳＣｅｌｌと対応される。
【００６３】
ブロック４３５は、Ｐビットで本発明でＰ−ＭＰＲによって、端末最大送信電力ＰCMAXが影響を受けたのかを指示する。
【００６４】
実際ＰＵＳＣＨ送信がなくても、基地局は特定逆方向キャリアでの経路損失情報を得るため、ＰＨをトリガーさせることができる。端末と基地局がＰＵＳＣＨ送信がない場合に ＰＨ算出のために用いる送信フォーマット(送信資源の量とＭＣＳレベル)を決めておくことで解決可能である。
【００６５】
この時、基地局は報告されたＰＨを正しく解釈するためには、ＰＨＲに含まれた各サービングセルに対するＰＨが実際ＰＵＳＣＨ送信を考慮して計算されたのか、または予め定義された送信フォーマットを利用して計算されたのか分かるべきである。このために、既存のＰＨＲフォーマットにこれを知らせることができるインディケータ(ｉｎｄｉｃａｔｏｒ)が必要である。ブロック４４０のＶビットはこのため１ビットインディケータである。
【００６６】
任意のセルのＰＨを報告することにおいて端末は上記セルのＰＨを計算する時、実際ＰＵＳＣＨ送信に基礎して、すなわち実際送信フォーマットを用いてＰＨを計算したら上記ビットを所定の値(例えば、０)と設定して、当該のセルにＰＵＳＣＨ送信がなかったのでｒｅｆｅｒｅｎｃｅ ｆｏｒｍａｔ(すなわち、ＲＢ個数＝０、とΔＴＦ＝０)を用いてＰＨを計算したら上記ビットをまた他の所定の値(例えば、１)と設定する。  
【００６７】
ブロック４５０及び４５５は、それぞれＰＨとＰＣＭＡＸ値である。連続されたバイトで各キャリアのＰＨ情報は、ＰＣｅｌｌのＴｙｐｅ２ ＰＨとＰCMAX→ＰＣｅｌｌのＴｙｐｅ 1 ＰＨ(ブロック４６０)とＰCMAX(ブロック４６５)→１番ＳＣｅｌｌのＰＨ(ブロック ４７０)とＰCMAX(ブロック４７５)→２番ＳＣｅｌｌのＰＨとＰCMAX→３番ＳＣｅｌｌのＰＨとＰCMAX→４番ＳＣｅｌｌのＰＨとＰCMAXの昇順で構成される。Ｒ(ブロック４５０)はｒｅｓｅｒｖｅｄ ｂｉｔである。
【００６８】
図５は、本発明を適用した端末２００の内部構造を示したブロック図である。  
【００６９】
端末は上位階層とデータなどを送受信する上位階層装置５１０を含み、制御メッセージ処理部５１５を通じて制御メッセージを送受信する。
【００７０】
ひいては端末２００は、基地局２０５で制御信号またはデータ送信時、制御部５２０の制御によって多重化装置５０５を通じて多重化後の送信機５００を通じてデータを送信する。
【００７１】
一方、端末がデータを受信する場合、端末は制御部５２０の制御によって受信機５００で物理信号を受信した後、逆多重化装置５０５で受信信号を逆多重化して、それぞれメッセージ情報によって上位階層装置５１０、或いは制御メッセージ処理部５１５で受信信号を伝達する。
【００７２】
本明細書と図面に開示された本発明の実施例は、本発明の記述内容を容易に説明して本発明の理解を助けるために特定例を提示したものだけで、本発明の範囲を限定しようとするものではない。ここに開示された実施例以外にも本発明の技術的思想に基づいた他の変形例が実施可能であるということは本発明が属する技術分野における通常の知識を有する者に自明なものである。
【符号の説明】
【００７３】
５００  送受信機
５０５  多重化及び逆多重化装置
５１０  上位階層
５１５  制御メッセージ処理部
５２０  制御部
【図１Ａ】
2019054543.tif 000004
【図１Ｂ】
2019054543.tif 000005
【図２】
2019054543.tif 000006
【図３Ａ】
2019054543.tif 000007
【図３Ｂ】
2019054543.tif 000008
【図４】
2019054543.tif 000009
【図５】
2019054543.tif 000010
【手続補正書】
【提出日】平成30年12月28日(2018.12.28)
【手続補正１】
【補正対象書類名】特許請求の範囲
【補正対象項目名】全文
【補正方法】変更
【補正の内容】
【特許請求の範囲】
【請求項１】
移動通信システムにおいて端末の方法であって、
基地局からＰＨＲ（ｐｏｗｅｒ  ｈｅａｄｒｏｏｍ  ｒｅｐｏｒｔ）に関する設定情報を受信する段階と、
ＰＨＲがトリガーされたか判断する段階と、
前記ＰＨＲを前記基地局に送信する段階と、を含み、
前記ＰＨＲが複数のサービングセルに関連するものである場合、前記ＰＨＲは、活性化された複数のセルに対するＰＨ、及び前記端末が電力管理（ｐｏｗｅｒ  ｍａｎａｇｅｍｅｎｔ）による電力バックオフ（ｐｏｗｅｒ  ｂａｃｋｏｆｆ）を適用したか否かを指示するインディケータを含み、
前記ＰＨＲが一つのサービングセルに関連するものである場合、前記ＰＨＲは前記インディケータを含まず、
前記ＰＨＲは、ＰＨＲ禁止タイマーが満了し、前記電力管理による電力バックオフが臨界値より多く変化する場合にトリガーされることを特徴とする方法。
【請求項２】
前記ＰＨＲが複数のサービングセルに関連し、前記ＰＨＲに含まれた第１最大送信電力が、前記電力バックオフが適用されないと決定される第２最大送信電力と異なる場合、前記インディケータは１に設定されることを特徴とする、請求項１に記載の方法。
【請求項３】
前記ＰＨＲが複数のサービングセルに関連するものである場合、前記ＰＨＲは、前記複数のセルに対するＰＨを計算するのに使われた最大送信電力を含むことを特徴とする、請求項１に記載の方法。
【請求項４】
前記最大送信電力の下限値は、前記電力管理による電力バックオフに基づいて決定されることを特徴とする、請求項３に記載の方法。
【請求項５】
新しい伝送のためのアップリンク資源が割り当てられ、前記ＰＨＲ禁止タイマーが満了し、以前のアップリンク資源が割り当てられた時のＰＨＲ伝送の後に、前記電力管理による電力バックオフが前記臨界値以上に変化する場合、前記ＰＨＲがトリガーされることを特徴とする、請求項１に記載の方法。
【請求項６】
移動通信システムにおける端末であって、
送受信部と、
基地局からＰＨＲ（ｐｏｗｅｒ  ｈｅａｄｒｏｏｍ  ｒｅｐｏｒｔ）に関する設定情報を受信し、ＰＨＲがトリガーされたか判断し、前記ＰＨＲを前記基地局に送信するように制御する制御部と、を含み、
前記ＰＨＲが複数のサービングセルに関連するものである場合、前記ＰＨＲは、活性化された複数のセルに対するＰＨ、及び前記端末が電力管理（ｐｏｗｅｒ  ｍａｎａｇｅｍｅｎｔ）による電力バックオフ（ｐｏｗｅｒ  ｂａｃｋｏｆｆ）を適用したか否かを指示するインディケータを含み、
前記ＰＨＲが一つのサービングセルに関連するものである場合、前記ＰＨＲは前記インディケータを含まず、
前記ＰＨＲは、ＰＨＲ禁止タイマーが満了し、前記電力管理による電力バックオフが臨界値より多く変化する場合にトリガーされることを特徴とする端末。
【請求項７】
前記ＰＨＲが複数のサービングセルに関連し、前記ＰＨＲに含まれた第１最大送信電力が、前記電力バックオフが適用されないと決定される第２最大送信電力と異なる場合、前記インディケータは１に設定されることを特徴とする、請求項６に記載の端末。
【請求項８】
前記ＰＨＲが複数のサービングセルに関連するものである場合、前記ＰＨＲは、前記複数のセルに対するＰＨを計算するのに使われた最大送信電力を含むことを特徴とする、請求項６に記載の端末。
【請求項９】
前記最大送信電力の下限値は、前記電力管理による電力バックオフに基づいて決定されることを特徴とする、請求項８に記載の端末。
【請求項１０】
新しい伝送のためのアップリンク資源が割り当てられ、前記ＰＨＲ禁止タイマーが満了し、以前のアップリンク資源が割り当てられた時のＰＨＲ伝送の後に、前記電力管理による電力バックオフが前記臨界値以上に変化する場合、前記ＰＨＲがトリガーされることを特徴とする、請求項６に記載の端末。
【請求項１１】
移動通信システムにおいて基地局の方法であって、
ＰＨＲ（ｐｏｗｅｒ  ｈｅａｄｒｏｏｍ  ｒｅｐｏｒｔ）に関する設定情報を生成する段階と、
端末に前記ＰＨＲに関する設定情報を送信する段階と、
前記端末からＰＨＲを受信する段階と、を含み、
前記ＰＨＲが複数のサービングセルに関連するものである場合、前記ＰＨＲは、活性化された複数のセルに対するＰＨ、及び前記端末が電力管理（ｐｏｗｅｒ  ｍａｎａｇｅｍｅｎｔ）による電力バックオフ（ｐｏｗｅｒ  ｂａｃｋｏｆｆ）を適用したか否かを指示するインディケータを含み、
前記ＰＨＲが一つのサービングセルに関連するものである場合、前記ＰＨＲは前記インディケータを含まず、
前記ＰＨＲは、ＰＨＲ禁止タイマーが満了し、前記電力管理による電力バックオフが臨界値より多く変化する場合にトリガーされることを特徴とする方法。
【請求項１２】
前記ＰＨＲが複数のサービングセルに関連し、前記ＰＨＲに含まれた第１最大送信電力が、前記電力バックオフが適用されないと決定される第２最大送信電力と異なる場合、前記インディケータは１に設定されることを特徴とする、請求項１１に記載の方法。
【請求項１３】
前記ＰＨＲが複数のサービングセルに関連するものである場合、前記ＰＨＲは、前記複数のセルに対するＰＨを計算するのに使われた最大送信電力を含むことを特徴とする、請求項１１に記載の方法。
【請求項１４】
前記最大送信電力の下限値は、前記電力管理による電力バックオフに基づいて決定されることを特徴とする、請求項１３に記載の方法。
【請求項１５】
新しい伝送のためのアップリンク資源が割り当てられ、前記ＰＨＲ禁止タイマーが満了し、以前のアップリンク資源が割り当てられた時のＰＨＲ伝送の後に、前記電力管理による電力バックオフが前記臨界値以上に変化する場合、前記ＰＨＲがトリガーされることを特徴とする、請求項１１に記載の方法。
【請求項１６】
移動通信システムにおける基地局であって、
送受信部と、
ＰＨＲ（ｐｏｗｅｒ  ｈｅａｄｒｏｏｍ  ｒｅｐｏｒｔ）に関する設定情報を生成し、端末に前記ＰＨＲに関する設定情報を送信し、前記端末からＰＨＲを受信するように制御する制御部と、を含み、
前記ＰＨＲが複数のサービングセルに関連するものである場合、前記ＰＨＲは、活性化された複数のセルに対するＰＨ、及び前記端末が電力管理（ｐｏｗｅｒ  ｍａｎａｇｅｍｅｎｔ）による電力バックオフ（ｐｏｗｅｒ  ｂａｃｋｏｆｆ）を適用したか否かを指示するインディケータを含み、
前記ＰＨＲが一つのサービングセルに関連するものである場合、前記ＰＨＲは前記インディケータを含まず、
前記ＰＨＲは、ＰＨＲ禁止タイマーが満了し、前記電力管理による電力バックオフが臨界値より多く変化する場合にトリガーされることを特徴とする基地局。
【請求項１７】
前記ＰＨＲが複数のサービングセルに関連し、前記ＰＨＲに含まれた第１最大送信電力が、前記電力バックオフが適用されないと決定される第２最大送信電力と異なる場合、前記インディケータは１に設定されることを特徴とする、請求項１６に記載の基地局。
【請求項１８】
前記ＰＨＲが複数のサービングセルに関連するものである場合、前記ＰＨＲは、前記複数のセルに対するＰＨを計算するのに使われた最大送信電力を含むことを特徴とする、請求項１６に記載の基地局。
【請求項１９】
前記最大送信電力の下限値は、前記電力管理による電力バックオフに基づいて決定されることを特徴とする、請求項１８に記載の基地局。
【請求項２０】
新しい伝送のためのアップリンク資源が割り当てられ、前記ＰＨＲ禁止タイマーが満了し、以前のアップリンク資源が割り当てられた時のＰＨＲ伝送の後に、前記電力管理による電力バックオフが前記臨界値以上に変化する場合、前記ＰＨＲがトリガーされることを特徴とする、請求項１６に記載の基地局。